(57)【特許請求の範囲】
【請求項１】
液滴を吐出するノズル孔を有するノズルプレートと、前記ノズル孔が露出する開口を有するヘッドカバーを備え、
前記ヘッドカバーと前記ノズルプレートとの間は樹脂材料で埋められており、
前記ヘッドカバーの開口から露出する前記樹脂材料は、その露出面が、前記ノズルプレートの表面と前記ヘッドカバーの液滴吐出側表面との間を接続するように、前記ノズルプレートの表面に対して傾斜しており、前記樹脂材料の前記ノズル孔側では、その厚みがノズル孔に向かって薄くなっており、
前記ヘッドカバーの前記液滴吐出側表面には前記樹脂材料はない
ことを特徴とする液体吐出ヘッド。
【請求項２】
前記ヘッドカバーの開口の側面が前記樹脂材料に被覆されていることを特徴とする請求項１記載の液体吐出ヘッド。
【請求項３】
前記ヘッドカバーの液滴吐出側表面に撥水層が形成されており、前記樹脂材料で被覆されている前記ヘッドカバーの開口の側面には親水層が形成されている
ことを特徴とする請求項２記載の液体吐出ヘッド。
【請求項４】
前記ノズルプレートの前記樹脂材料で被覆されている部分には親水層が形成されている
ことを特徴とする請求項３記載の液体吐出ヘッド。
【請求項５】
前記樹脂材料が接着剤であることを特徴とする請求項１乃至４のいずれか１項に記載の液体吐出ヘッド。
【請求項６】
請求項１乃至５のいずれか１項に記載の液体吐出ヘッドが搭載されていることを特徴とする液体吐出装置。
【請求項７】
請求項１乃至６のいずれか１項に記載の液体吐出ヘッドが搭載されていることを特徴とする画像形成装置。
【発明の詳細な説明】
【技術分野】
【０００１】
本発明は、画像形成に用いられる記録液体を吐出する液体吐出ヘッド、液体吐出装置及び画像形成装置に関する。
【背景技術】
【０００２】
プリンタ、ファクシミリ、複写装置、プロッタ、これらの複合機等の画像形成装置として、画像形成に用いられる記録液（例えばインク）の液滴を吐出する液体吐出ヘッド（液滴吐出ヘッドともいう）からなる記録ヘッドを用いた画像形成装置としてインクジェット記録装置などが知られている。この液体吐出記録方式の画像形成装置は、インクジェットヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙などとも称される。）に対して吐出して、画像形成（記録、印字、印写、印刷も同義語で使用する。）を行うものであり、インクジェットヘッドが主走査方向に移動しながら液滴を吐出して画像を形成するシリアル型画像形成装置と、インクジェットヘッドが移動しない状態で液滴を吐出して画像を形成するライン型ヘッドを用いるライン型画像形成装置がある。
【０００３】
なお、本願において、液体吐出記録方式の「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。また、「画像」とは平面的なものに限らず、立体的に形成されたものに付与された画像、また立体自体を３次元的に造形して形成された像も含まれる。
【０００４】
ところで液体吐出ヘッドは、ノズル（ノズル孔）から液滴を吐出させて記録を行うため、ノズルの形状、精度がインク滴の噴射特性に大きな影響を与える。また、ノズル孔を形成しているノズル形成部材（ノズルプレート）の表面の特性もインク滴の噴射特性に影響を与えることが知られている。例えば、ノズル形成部材表面のノズル孔周辺部にインクが付着して不均一なインク溜まりが発生すると、インク滴の吐出方向が曲げられたり、インク滴の大きさにバラツキが生じたり、インク滴の飛翔速度が不安定になる等の不都合が生じることが知られている。
【０００５】
このようなことから、液体吐出ヘッドの中には、ノズルを形成するノズル形成部材の表面にインクを弾く撥水処理（撥インク処理）を施すものがある。また、ノズル形成部材の外周部（端部）を覆うノズルカバー（ヘッドカバーともいう）を備える場合には、ノズル表面をクリーニングした後のインクの吹き溜まりなどが蓄積し、紙面に触れて紙面を汚す等の問題に対応するためとして、ノズルカバーの紙面対向面、側面に撥水処理を行い、ヘッドを固定するヘッドベースにも撥水処理を施すものがある。このようにノズルカバーでノズル形成部材の外周部を覆う構成は、例えば特許文献１、２に開示されている。
【発明の概要】
【発明が解決しようとする課題】
【０００６】
上述したように、特許文献１や２の構成では、ヘッド部材が紙ジャム時やワイピング時、応力がかかることでヘッドから剥離することを防ぐ目的で、液体吐出面の外周部をノズルカバーにより覆い保護している。この構成例を図９に示す。図９（ａ）は、複数のノズル孔が形成されたノズルプレートの外周部をノズルカバーで被覆した例を示す上面図である。ノズルプレートとノズルカバーは、例えば接着剤（樹脂材料の一例）により固着されている。しかしながら、このような構成では以下のような問題が生じる。この問題について図９（ｂ）〜（ｄ）を用いて説明する。なお、図９（ｂ）〜（ｄ）において、円で囲まれた図は、図９（ａ）の円で囲まれた部分を拡大して示す上面図であり、また、その図の右側にある図は、ノズルプレートの短手方向（ワイピング方向）から見た側断面図である。
【０００７】
まず、図９（ｂ）に示すように、ノズルプレートに対するワイピング時、ノズルカバーとノズルプレートの間に毛細管現象で溜まったインクが、インク中の溶媒成分の蒸発により増粘インクへと変化する。この図９（ｂ）の状態にてワイピングを重ねると、図９（ｃ）に示すように、増粘インクが引きずられ、ノズルカバーからワイピング方向の下流にかけて拡散し、ノズルプレート表面を汚染する。そして、さらにワイピングが繰り返されると、増粘インクで汚染された領域がノズルカバー先端からワイピング方向の下流にかけて成長し、その領域は図９（ｄ）に示すようにノズル孔に達する。このようにして、増粘インクがノズル孔を塞いでしまい、不吐出（インク滴が吐出されない不具合）や吐出方向曲がり（インク滴が正確な方向に吐出されない不具合）へとつながる。
【０００８】
本発明は、上記事情に鑑みてなされたものであり、ノズルプレートの外周部にヘッドカバーが設けられる液体吐出ヘッドにおいて、増粘インクがノズル孔を塞ぐことによって生じるインク滴の不吐出や吐出方向曲がりを防止することができる液体吐出ヘッド、液体吐出装置及び画像形成装置を提供することを目的とする。
【課題を解決するための手段】
【０００９】
かかる目的を達成するために、本発明の液体吐出ヘッドは、液滴を吐出するノズル孔を有するノズルプレートと、ノズル孔が露出する開口を有するヘッドカバーを備え、ヘッドカバーとノズルプレートとの間は樹脂材料で埋められており、ヘッドカバーの開口から露出する樹脂材料は、その露出面が、ノズルプレートの表面とヘッドカバーの液滴吐出側表面との間を接続するように、ノズルプレートの表面に対して傾斜しており、樹脂材料のノズル孔側では、その厚みがノズル孔に向かって薄くなっており、ヘッドカバーの液滴吐出側表面には樹脂材料はないことを特徴とする。
【００１０】
本発明の液体吐出装置は、本発明の液体吐出ヘッドを備えることを特徴とする。
【００１１】
本発明の画像形成装置は、本発明の液体吐出ヘッドを備えることを特徴とする。
【発明の効果】
【００１２】
本発明によれば、ノズルプレートの外周部にヘッドカバーが設けられる液体吐出ヘッドにおいて、増粘インクがノズル孔を塞ぐことによって生じるインク滴の不吐出や吐出方向曲がりを防止することができる。
【図面の簡単な説明】
【００１３】
【図１】本発明の一実施形態に係る液体吐出ヘッドのノズルプレート及びノズルカバーの上面及び側断面を示す図である。
【図２】本発明の一実施形態に係る液体吐出ヘッドのノズルプレート及びノズルカバーの側断面を示す図である。
【図３】本発明の一実施形態に係る液体吐出ヘッドのノズルカバーの側断面を示す図である。
【図４】本発明の一実施形態に係る液体吐出ヘッドの液室長手方向に沿う断面説明図である。
【図５】本発明の一実施形態に係る画像形成装置の機構部の全体構成を説明する概略構成図である。
【図６】本発明の一実施形態に係る画像形成装置の機構部の要部平面説明図である。
【図７】本発明の一実施形態に係る画像形成装置の機構部全体の概略構成図である。
【図８】本発明の一実施形態に係る画像形成装置の記録ヘッドの構成を示す図である。
【図９】本発明が解決する課題を説明する図であり、ノズルプレート及びノズルカバーの上面及び側断面を示す図である。
【発明を実施するための形態】
【００１４】
以下、本発明を実施するための形態（実施形態）について添付図面を参照して詳細に説明する。
【００１５】
本実施形態の液体吐出ヘッドの全体構成の一例について図４を参照して説明する。図４は本実施形態の液体吐出ヘッドの液室長手方向に沿う断面説明図である。
【００１６】
図４に示すように、本実施形態の液体吐出ヘッドは、例えばシリコーン部材からなる流路形成部材である流路板１と、流路板１の上面に接合したノズル形成部材（例えば金属部材）からなるノズル板（以下ノズルプレートという）２と、流路板１の下面に接合した金属部材からなる振動板３と、を有する。ノズルプレート２には、液滴（画像形成に用いられる記録液の液滴。例えばインク滴）を吐出するノズル（ノズル孔）４が複数設けられている。この液滴は、フレーム部材１７に形成された共通液室１０から加圧液室６を介してノズル４から吐出される。なお、加圧液室６の壁面を形成する振動板３の面外側（加圧液室６と反対面側）に、各加圧液室６に対応して、振動板３に形成した図示しない連結部を介して駆動素子としての積層型圧電素子１２の上端面を接合している。また、積層型圧電素子１２の下端面はベース部材１３に接合している。
【００１７】
また、図４に示すように、本実施形態の液体吐出ヘッドは、ノズルプレート２の外周部及び液体吐出ヘッド側面を保護するノズルカバー５１が装着されている。このノズルカバー５１の、少なくとも記録材面（例えば用紙等の記録部材において、液滴の吐出を受けて画像が形成される面）に対向する表面部分（外側表面）５１ａには、撥水処理による第２撥水層４２が形成されている。この第２撥水層４２は、ノズル４が形成されたノズルプレート２の表面（液体吐出面）の第１撥水層４１とは異なるものである。このように、ノズルカバー５１の外側表面５１ａに撥水層４２を形成することで、ノズルプレート２の液体吐出面だけでなくノズルカバー５１の外側表面も撥水効果が得られるため、ワイピング動作でノズルプレート２とノズルカバー５１の両方を清掃でき、ノズルカバー５１外までインクを除去できる。なお、このようなノズルカバー５１における撥水処理の例については、図３を用いて後述する。
【００１８】
以上のように構成された本実施形態の液滴吐出ヘッドは、例えば押し打ち方式で駆動する場合には、図示しない制御部から記録する画像に応じて複数の圧電素子１２に２０〜５０Ｖの駆動パルス電圧を選択的に印加することによって、パルス電圧が印加された圧電素子１２が変位して振動板３をノズルプレート２方向に変形させ、加圧液室６の容積（体積）変化によって液室６内の液体を加圧することで、ノズルプレート２のノズル４から液滴が吐出される。そして、液滴の吐出に伴って液室６内の圧力が低下し、このときの液流れの慣性によって液室６内には若干の負圧が発生する。この状態の下において、圧電素子１２への電圧の印加をオフ状態にすることによって、振動板３が元の位置に戻って液室６が元の形状になるため、さらに負圧が発生する。このとき、共通液室１０から液室６内に記録液が充填され、次の駆動パルスの印加に応じて液滴がノズル４から吐出される。
【００１９】
次に、本実施形態の液体吐出ヘッドにおける特徴的な構成について、図１を参照して説明する。
【００２０】
図１（ａ）は、ノズルプレート２の上面図である。図１（ａ）に示すように、ノズルプレート２は、その外周部（端部）がノズルカバー５１により覆われている。また、ノズルプレート２の表面には、複数のノズル４が設けられており、液体吐出面を形成している。なお、液体吐出面におけるワイピング方向は、図９で示す矢印と同様である。
【００２１】
図１（ｂ）は、図１（ａ）の円で囲まれた部分の破線による側断面を拡大して示す図（ノズルプレート２の短手方向から見た側断面図）である。なお、図１（ｂ）では、ノズルカバー５１が取り付けられる前の状態を示している。図１（ｂ）では、ノズルプレート２の液体吐出面において、ノズルカバー５１により覆われる部分を破線で示し、また、親水化される領域（親水化領域）を一点鎖線で示している。
【００２２】
図１（ｃ）は、図１（ｂ）のノズルプレート２に対してノズルカバー５１が取り付けられた状態を示している。図１（ｃ）に示すように、ノズルカバー５１は、その開口部（ノズルカバー５１とノズルプレート２とで形成される開口部）がノズルカバー５１の外周部よりもノズルプレート２の液体吐出面に近づくようにノズルカバー５１の開口部方向に傾斜を持って形成されている。また、ノズルカバー５１の開口部の先端は、ノズルカバー５１の厚さ方向に垂直な面よりも液体吐出面に対して平行に近い傾斜面を有している。また、図１（ｃ）に示すように、傾斜面とノズルプレート２の隙間（段差）を充填するように樹脂材料が埋められている。図中の色付きの部分が樹脂材料の充填を示している。この樹脂材料は、傾斜面を被覆している。また、この樹脂材料は、接着剤であり、例えばシリコーン系接着剤等が挙げられる。この接着剤の埋め込みにより、ノズルカバー５１はノズルプレート２に固着され、ノズルカバー５１の開口部は塞がれた状態となる。図２に示すように、ノズルカバーの先端部が直角（矢印ａ方向）に切り落とされている場合の段差ｙと、本実施形態のようにノズルカバーの先端部がワイピング方向に対し逆テーパに切り落とされている場合の段差ｘとを比較すると、ｘの方が短い。よって、樹脂材料で隙間を充填しやすくなり、充填が不十分なことによる増粘インクの溜まりが発生しにくくなる。以上の構成によれば、ノズルカバー５１とノズルプレート２の隙間に対し、液滴が侵入することなく、液滴が残留することもない。従って、液滴がノズルカバーの開口部に溜まって固着インクとなることを防止できる。その結果、図９で説明したような増粘インクのノズル４方向への拡散を防止できる。
【００２３】
また、図１（ｃ）に示すノズルプレート２の液体吐出面において、ノズルカバー５１の開口部から露出する領域（ノズルカバー５１に覆われていない、親水化領域の延長線上方向にある領域）は、二点鎖線で示すように撥水化領域となっており、撥水層（図４に示す第１撥水層４１）が形成される。また、図１（ｃ）に示すノズルプレート２の液体吐出面において、ノズルカバー５１の傾斜面に対向する領域は、一点鎖線で示すように親水化領域となっており、親水層が形成される。このような構成により、ノズルカバー５１のノズルプレート２に対する密着性（接合性）が向上する。
【００２４】
なお、ノズルカバー５１のノズルプレート２に対向する面（例えば図１（ｃ）に示す内側表面）及び傾斜面に親水層を有するように構成してもよい。これにより、ノズルカバー５１のノズルプレート２に対する密着性（接合性）が向上する。
【００２５】
また、ノズルプレート２の液体吐出面に形成された親水層（一点鎖線で示す親水化領域に形成された親水層）は、図２に示すように、ノズルカバー５１の開口部の先端からノズル孔４がある方向へ、ノズルカバー５１の厚さ相当以上せり出して形成され（ｂ＞ａ）、親水化領域に広がる樹脂材料でノズルカバー５１（の外側表面）とノズルプレート２の液体吐出面が連続面になるよう形成している。
【００２６】
また、ノズルカバー５１の撥水処理については、例えば以下の２通りがある。１つ目の例は、図３（ａ）、（ｂ）のように撥水処理を行う。例えば速乾性の材料を用いるとして、図３（ａ）、（ｂ）のように撥水処理を行う。先端が加工されていないノズルカバー５１全体を撥水剤液（例えば速乾性のもの）へ単純にディッピングする。撥水剤液が乾燥すると、図３（ａ）に示すように、ノズルカバーの表面全体に撥水膜（太線で示す部分）が形成される。その後、図３（ｂ）に示すように、ノズルカバー５１の先端部を逆テーパ形状に加工し、傾斜面を形成する。また、図３（ｂ）に示すように、傾斜面及び内側表面の一部（ノズルプレート２に対向する面の一部）にある撥水膜を除去する。上述したように、この撥水膜除去部分に対して親水層を形成してもよい。２つ目の例は、図３（ｃ）、（ｄ）のように撥水処理を行う。先端が加工されていないノズルカバー５１の外側表面に撥水剤液（例えば速乾性のもの）を塗布する。撥水材液が乾燥すると、図３（ｃ）に示すように、ノズルカバー５１の外側表面に撥水膜（太線で示す部分）が形成される。その後、図３（ｄ）に示すように、ノズルカバー５１の先端部を逆テーパ形状に加工し、傾斜面を形成する。上述したように、この傾斜面及び内側表面の一部（ノズルプレート２に対向する面の一部）に対して親水層を形成してもよい。
【００２７】
図３の（ｂ）又は（ｄ）のように加工されたノズルカバー５１は、液体吐出ヘッドに勘合される際、ノズルプレート２の外周に予め塗布された接着剤を介してノズルプレート２の表面に固定される。あるいは、上記のように加工されたノズルカバー５１は、液体吐出ヘッドに勘合された後で、ノズルカバー５１とノズルプレート２の液体吐出面との隙間に接着剤を流し込まれて固定されてもよい。
【００２８】
上記接着剤の粘度は低い方が好ましい。その理由は、ノズルカバーと液体吐出面との段差をなだらかにするよう毛管力で充填されるからである。また、接着剤自体に比較的撥水性のある接着剤を用いる方が好ましい。その理由は、接着剤へのインクの付着量を抑えることができ、増粘インクの発生を抑えられるからである。
【００２９】
以上説明したように、本実施形態の液体吐出ヘッドによれば、ノズルカバーが同じ板厚であっても、先端部に逆テーパを設けるようにすることで、ノズルカバーと液体吐出面（ノズル面）との間にできる段差部（隙間）を小さくすることができ、インクが段差部に溜まりにくくすることができる。よって、段差部のインク溜まりにより発生するノズル面の汚染・吐出異常を大幅に抑制できる。すなわち、ノズルプレートの外周部にノズルカバーが設けられる構成において、増粘インクがノズル孔を塞ぐことによって生じるインク滴の不吐出や吐出方向曲がりを防止することができる。また、本実施形態の液体吐出ヘッドによれば、上記段差部を小さくすることに加え、さらに段差をなだらかな傾斜にすることで、インクがノズルカバーと液体吐出面との境界に溜まりにくくすることが更にできる。また、本実施形態の液体吐出ヘッドによれば、液体吐出面とノズルカバーとの固定は、ノズルカバーの内壁（内側表面）の親水領域とノズルプレートの液体吐出面の親水領域との接着により実施しているが、テーパ断面（傾斜面）も接着固定することで、カバーテーパ部と接着剤の界面へのインクの進入を防ぐことができるため、増粘インクの発生を更に抑制できる。また、本実施形態の液体吐出ヘッドによれば、接着剤自身に撥水性を付与することで、接着剤へのインクの付着を防止でき、増粘インクの発生を更に抑制できる。
【００３０】
次に、本実施形態の液体吐出ヘッドを備える画像形成装置の一例について図５及び図６を参照して説明する。なお、図５は同装置の機構部の全体構成を説明する概略構成図、図６は同機構部の要部平面説明図である。
【００３１】
この画像形成装置はシリアル型画像形成装置であり、左右の側板２２１Ａ、２２１Ｂに横架したガイド部材である主従のガイドロッド２３１、２３２でキャリッジ２３３を主走査方向に摺動自在に保持し、図示しない主走査モータによってタイミングベルトを介して矢示方向（キャリッジ主走査方向）に移動走査する。
【００３２】
このキャリッジ２３３には、イエロー（Ｙ）、シアン（Ｃ）、マゼンタ（Ｍ）、ブラック（Ｋ）の各色のインク滴を吐出するための上述した本実施形態の液体吐出ヘッドと、同ヘッドに駆動信号を与える電気回路基板と、同ヘッドに供給するインクを収容するタンクを一体化した液体吐出ヘッドユニットからなる記録ヘッド２３４を複数のノズルからなるノズル列を主走査方向と直交する副走査方向に配列し、インク滴吐出方向を下方に向けて装着している。キャリッジ２３３は、本実施形態の液体吐出ヘッドを備えることから「液体吐出装置」と呼ぶことができる。
【００３３】
記録ヘッド２３４は、それぞれ２つのノズル列を有する液体吐出ヘッドユニット２３４ａ、２３４ｂを１つのベース部材に取り付けて構成したもので、一方のヘッド２３４ａの一方のノズル列はブラック（Ｋ）の液滴を、他方のノズル列はシアン（Ｃ）の液滴を、他方のヘッド２３４ｂの一方のノズル列はマゼンタ（Ｍ）の液滴を、他方のノズル列はイエロー（Ｙ）の液滴を、それぞれ吐出する。なお、ここでは２ヘッド構成で４色の液滴を吐出する構成としているが、１ヘッド当たり４ノズル列配置とし、１個のヘッドで４色の各色を吐出させることもできる。
【００３４】
また、記録ヘッド２３４のタンク２３５には各色の供給チューブ２３６を介して、供給ユニット２２４によって各色のインクカートリッジ２１０から各色のインクが補充供給される。
【００３５】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３及び給紙コロ２４３に対向し、摩擦係数の大きな材質からなる分離パッド２４４を備え、この分離パッド２４４は給紙コロ２４３側に付勢されている。
【００３６】
そして、この給紙部から給紙された用紙２４２を記録ヘッド２３４の下方側に送り込むために、用紙２４２を案内するガイド部材２４５と、カウンタローラ２４６と、搬送ガイド部材２４７と、先端加圧コロ２４９を有する押さえ部材２４８とを備えるとともに、給送された用紙２４２を静電吸着して記録ヘッド２３４に対向する位置で搬送するための搬送手段である搬送ベルト２５１を備えている。
【００３７】
この搬送ベルト２５１は、無端状ベルトであり、搬送ローラ２５２とテンションローラ２５３との間に掛け渡されて、ベルト搬送方向（副走査方向）に周回するように構成している。また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。この搬送ベルト２５１は、図示しない副走査モータによってタイミングを介して搬送ローラ２５２が回転駆動されることによってベルト搬送方向に周回移動する。
【００３８】
さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。
【００３９】
また、装置本体の背面部には両面ユニット２７１が着脱自在に装着されている。この両面ユニット２７１は搬送ベルト２５１の逆方向回転で戻される用紙２４２を取り込んで反転させて再度カウンタローラ２４６と搬送ベルト２５１との間に給紙する。また、この両面ユニット２７１の上面は手差しトレイ２７２としている。
【００４０】
さらに、キャリッジ２３３の走査方向一方側の非印字領域には、記録ヘッド２３４のノズルの状態を維持し、回復するための回復手段を含む本発明に係るヘッドの維持回復装置である維持回復機構２８１を配置している。この維持回復機構２８１には、記録ヘッド２３４の各ノズル面をキャピングするための各キャップ部材（以下「キャップ」という）２８２ａ、２８２ｂ（区別しないときは「キャップ２８２」という）と、ノズル面をワイピングするためのブレード部材であるワイパーブレード２８３と、増粘した記録液を排出するために記録に寄与しない液滴を吐出させる空吐出を行うときの液滴を受ける空吐出受け２８４などを備えている。
【００４１】
また、キャリッジ２３３の走査方向他方側の非印字領域には、記録中などに増粘した記録液を排出するために記録に寄与しない液滴を吐出させる空吐出を行うときの液滴を受ける空吐出受け２８８を配置し、この空吐出受け２８８には記録ヘッド２３４のノズル列方向に沿った開口部２８９などを備えている。
【００４２】
このように構成したこの画像形成装置においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送され、更に先端を搬送ガイド２３７で案内されて先端加圧コロ２４９で搬送ベルト２５１に押し付けられ、略９０°搬送方向を転換される。
【００４３】
このとき、帯電ローラ２５６に対してプラス出力とマイナス出力とが交互に繰り返すように、つまり交番する電圧が印加され、搬送ベルト２５１が交番する帯電電圧パターン、すなわち、周回方向である副走査方向に、プラスとマイナスが所定の幅で帯状に交互に帯電されたものとなる。このプラス、マイナス交互に帯電した搬送ベルト２５１上に用紙２４２が給送されると、用紙２４２が搬送ベルト２５１に吸着され、搬送ベルト２５１の周回移動によって用紙２４２が副走査方向に搬送される。
【００４４】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【００４５】
このように、この画像形成装置では、上述した本実施形態に係る液体吐出ヘッドを記録ヘッドとして備えるので、信頼性が向上する。
【００４６】
次に、本実施形態の液体吐出ヘッドを備える画像形成装置の他の例について図７を参照して説明する。なお、図７は同装置の機構部全体の概略構成図である。
【００４７】
この画像形成装置は、ライン型画像形成装置であり、装置本体４０１の内部に画像形成部４０２等を有し、装置本体４０１の下方側に多数枚の記録媒体（用紙）４０３を積載可能な給紙トレイ４０４を備え、この給紙トレイ４０４から給紙される用紙４０３を取り込み、搬送機構４０５によって用紙４０３を搬送しながら画像形成部４０２によって所要の画像を記録した後、装置本体４０１の側方に装着された排紙トレイ４０６に用紙４０３を排紙する。
【００４８】
また、装置本体４０１に対して着脱可能な両面ユニット４０７を備え、両面印刷を行うときには、一面（表面）印刷終了後、搬送機構４０５によって用紙４０３を逆方向に搬送しながら両面ユニット４０７内に取り込み、反転させて他面（裏面）を印刷可能面として再度搬送機構４０５に送り込み、他面（裏面）印刷終了後排紙トレイ４０６に用紙４０３を排紙する。
【００４９】
ここで、画像形成部４０２は、例えばイエロー（Ｙ）、マゼンタ（Ｍ）、シアン（Ｃ），ブラック（Ｋ）の各色の液滴を吐出する、ライン型の４個の本実施形態に係る液体吐出ヘッドと当該液体吐出ヘッドにインクを供給するサブタンクを一体化して構成した記録ヘッド４１１ｙ、４１１ｍ、４１１ｃ、４１１ｋ（色を区別しないときには「記録ヘッド４１１」という。）を備え、各記録ヘッド４１１は液滴を吐出するノズルを形成したノズル面を下方に向けてヘッドホルダ４１３に装着している。
【００５０】
なお、１つの記録ヘッド４１１は、図８に示すように、複数（この例では６個）のサブタンク一体型の本実施形態に係る液体吐出ヘッド５０１Ａ〜５０１Ｆをベース部材５０２に所定の位置関係で配列して構成しているが、１つのフルライン型の液体吐出ヘッドで構成することもできる。
【００５１】
また、各記録ヘッド４１１に対応してヘッドの性能を維持回復するための維持回復機構４１２ｙ、４１２ｍ、４１２ｃ、４１２ｋ（色を区別しないときには「維持回復機構４１２」という。）を備え、パージ処理、ワイピング処理などのヘッドの性能維持動作時には、記録ヘッド４１１と維持回復機構４１２とを相対的に移動させて、記録ヘッド４１１のノズル面に維持回復機構４１２を構成するキャッピング部材などを対向させる。
【００５２】
給紙トレイ４０４の用紙４０３は、給紙コロ（半月コロ）４２１と図示しない分離パッドによって１枚ずつ分離され装置本体４０１内に給紙され、搬送ガイド部材４２３のガイド面４２３ａに沿ってレジストローラ４２５と搬送ベルト４３３との間に送り込まれ、所定のタイミングでガイド部材４２６を介して搬送機構４０５の搬送ベルト４３３に送り込まれる。
【００５３】
また、搬送ガイド部材４４３には両面ユニット４０７から送り出される用紙４０３を案内するガイド面４２３ｂも形成されている。更に、両面印刷時に搬送機構４０５から戻される用紙４０３を両面ユニット４０７に案内するガイド部材４２７も配置している。
【００５４】
搬送機構４０５は、駆動ローラである搬送ローラ４３１と従動ローラ４３２との間に掛け渡した無端状の搬送ベルト４３３と、この搬送ベルト４３３を帯電させるための帯電ローラ４３４と、画像形成部４０２に対向する部分で搬送ベルト４３３の平面性を維持するプラテン部材４３５と、搬送ベルト４３３から送り出す用紙４０３を搬送ローラ４３１側に押し付ける押さえコロ４３６と、その他図示しないが、搬送ベルト４３３に付着した記録液（インク）を除去するためのクリーニング手段である多孔質体などからなるクリーニングローラなどを有している。なお、搬送機構としては例えばエアー吸引によって搬送ベルトに被記録媒体を吸着させるものなども使用できる。
【００５５】
この搬送機構４０５の下流側には、画像が記録された用紙４０３を排紙トレイ４０６に送り出すための排紙ローラ４３８及び拍車４３９を備えている。
【００５６】
このように構成した画像形成装置において、搬送ベルト４３３は矢示方向に周回移動し、高電位の印加電圧が印加される帯電ローラ４３４と接触することで帯電され、帯電した搬送ベルト４３３上に用紙４０３が給送されると、用紙４０３は搬送ベルト４３３に静電的に吸着される。このようにして、搬送ベルト４３３に強力に吸着した用紙４０３は反りや凹凸が校正され、高度に平らな面が形成される。
【００５７】
そして、搬送ベルト４３３を周回させて用紙４０３を移動させ、記録ヘッド４１１から液滴を吐出することで、用紙４０３上に所要の画像が形成され、画像が記録された用紙４０３は排紙ローラ４３８によって排紙トレイ４０６に排紙される。
【００５８】
このように、この画像形成装置では、本実施形態に係る液体吐出ヘッドを備えているので、吐出効率及び画像品質を改善でき、画像形成の信頼性が向上する。
【００５９】
なお、上記実施形態では、プリンタ構成の画像形成装置を例に説明したが、これに限るものではなく、前述したように、例えば、プリンタ／ファックス／コピア複合機などの画像形成装置に適用することができ、また、前述したように狭義のインク以外の液体や定着処理液などを用いる画像形成装置にも適用することができる。
【００６０】
以上、本発明の実施形態について説明したが、上記実施形態の記載に限定されるものではなく、その要旨を逸脱しない範囲において種々の変形が可能である。
【符号の説明】
【００６１】
１    流路板
２    ノズル板（ノズルプレート）
３    振動板
４    ノズル孔
６    加圧液室
１０    共通液室
１２    積層型圧電素子
１３    ベース部材
１７    フレーム部材
４１    第１撥水層
４２    第２撥水装置
５１    ノズルカバー
５１    ノズルカバーの外側表面
【先行技術文献】
【特許文献】
【００６２】
【特許文献１】特開２００６−３３４９０３号公報
【特許文献２】特開２００９−２２０４２１号公報
【図１】
0006041010.tif 000002
【図２】
0006041010.tif 000003
【図３】
0006041010.tif 000004
【図４】
0006041010.tif 000005
【図５】
0006041010.tif 000006
【図６】
0006041010.tif 000007
【図７】
0006041010.tif 000008
【図８】
0006041010.tif 000009
【図９】
0006041010.tif 000010